(57)【要約】【課題】各種印刷物の適正かつ最新の印刷料金を算出する。【解決手段】印刷料金の査定依頼者が、査定者へ、査定対象の印刷物の数量などの情報と個人情報をインターネット経由で通知する。また、査定対象の印刷物の現品を査定者へ送り届ける。査定者は査定する印刷物の紙、製本、加工などの仕様を正確に判定し、印刷料金を算出するためのデータベースのデータをもとに適正かつ最新の印刷料金を査定依頼者へ通知する。【選択図】図１
2011070620.tif 000002
【特許請求の範囲】
【請求項１】
印刷料金の査定依頼者が、査定者へ、査定対象の印刷物の数量などの情報と個人情報をインターネット経由で通知する。また、印刷料金の査定依頼者は、査定対象の印刷物の現品を査定者へ送り届ける。
査定者は、査定対象の印刷物を見て触り印刷方法、紙、製本、加工などを検討し正確な印刷物の仕様を判定する。査定者は、印刷の部数などの情報と印刷の仕様にもとづきサーバのデータベースから刷版代、印刷代、紙代、製本加工代、梱包代、運賃などの積算料金を算出する。また査定者はサーバのデータベースから、印刷業者の各業者の提供するサービス又は商品の内容やその料金体系、得意とする商品、印刷設備などの情報にもとづき査定対象の印刷仕様に最適な業者を数社選定し見積を依頼する。積算料金と業者の合い見積を査定し、査定依頼者へ適正かつ最新の印刷料金をメールなどで通知する方法である。
【請求項２】
印刷料金の査定依頼者が、査定者へ、査定対象の印刷物の数量などの情報と個人情報をインターネット経由で通知する。また、印刷料金の査定依頼者は、査定対象の印刷物の現品を査定者へ送り届ける。
査定者は、査定対象の印刷物を見て触り印刷方法、紙、製本、加工などを検討し正確な印刷物の仕様を判定する。査定者は、印刷の部数などの情報と印刷の仕様にもとづきサーバのデータベースから刷版代、印刷代、紙代、製本加工代、梱包代、運賃などの積算料金を算出する。また査定者はパソコンサーバのデータベースから、印刷業者の各業者の提供するサービス又は商品の内容やその料金体系、得意とする商品、印刷設備などの情報にもとづき査定対象の印刷仕様に最適な業者を数社選定し見積を依頼する。積算料金と業者の合い見積を査定し、査定依頼者へ適正かつ最新の印刷料金をメールなどで通知するシステムである。
【発明の詳細な説明】
【発明の詳細な説明】
【０００１】この発明は、印刷物の仕様を正確に判定し、適正かつ最新の印刷料金を算出することが可能な印刷料金の査定方法と査定システムに関するものである。
【背景技術】
【０００２】従来から、インターネットで業者へ見積を依頼するサービスは存在する。印刷業界は、おおむね活版印刷業、オフセット印刷業、オフセット輪転印刷業、グラビア印刷業、特殊印刷業に分類され、印刷物の種類もシール、はがき、カタログ、チケットなど多種多様である。一般の利用者は印刷の仕様も分からず、目的の印刷物に最適な業者も分からない。その結果インターネットで業者へ見積を依頼するサービスも利用できないことが多い。
本発明は、以上の欠点をなくすためになされたものである。
【発明が解決するための手段】
【０００３】本発明において上記の課題を達成するために、まず請求項１の発明では、印刷料金の査定依頼者が、査定者へ、査定対象の印刷物の数量などの情報と個人情報をインターネット経由で通知する。また、印刷料金の査定依頼者は、査定対象の印刷物の現品を査定者へ送り届ける。査定者は、査定対象の印刷物を見て触り印刷方法、紙、製本、加工などを検討し正確な印刷物の仕様を判定する。査定者は、印刷の部数などの情報と印刷の仕様にもとづきサーバのデータベースから刷版代、印刷代、紙代、製本加工代、梱包代、運賃などの積算料金を算出する。また査定者はサーバのデータベースから、印刷業者の各業者の提供するサービス又は商品の内容やその料金体系、得意とする商品、印刷設備などの情報にもとづき査定対象の印刷仕様に最適な業者を数社選定し見積を依頼する。積算料金と業者の合い見積を査定し、査定依頼者へ適正かつ最新の印刷料金をメールなどで通知する方法としたものである。
【０００４】また請求項２の発明では、印刷料金の査定依頼者が、査定者へ、査定対象の印刷物の数量などの情報と個人情報をインターネット経由で通知する。また、印刷料金の査定依頼者は、査定対象の印刷物の現品を査定者へ送り届ける。査定者は、査定対象の印刷物を見て触り印刷方法、紙、製本、加工などを検討し正確な印刷物の仕様を判定する。査定者は、印刷の部数などの情報と印刷の仕様にもとづきサーバのデータベースから刷版代、印刷代、紙代、製本加工代、梱包代、運賃などの積算料金を算出する。また査定者はサーバのデータベースから、印刷業者の各業者の提供するサービス又は商品の内容やその料金体系、得意とする商品、印刷設備などの情報にもとづき査定対象の印刷仕様に最適な業者を数社選定し見積を依頼する。積算料金と業者の合い見積を査定し、査定依頼者へ適正かつ最新の印刷料金をメールなどで通知するシステムとしたものである。
【発明の効果】
【０００５】本発明の印刷料金の査定方法および査定システムにより、査定依頼者へ適正かつ最新の印刷料金へ通知することで利用者の便益の向上が図られる。
【０００６】インターネットで印刷の見積サービスを行うサイトにおいて、版権、複製権、著作権の情報を掲載しているケースは少ない。デジタルデータから直接刷版を制作するＣＴＰが普及。通信技術の進歩によりデジタルデータの複製も安易である。そこで本発明の印刷料金の査定方法および査定システムの案内と使用方法の説明を掲載するウェブサイトに、版権、複製権、著作権についての正しい情報を掲載することで、版権、複製権、著作権の啓発を促すことが図られる。
【発明を実施するための形態】
以下、本発明の実施の形態について説明する。
【０００７】１．構成
本実施形態では、図１に示すように、査定依頼者の端末と、査定者の端末がインターネット経由で接続されており、データ通信が可能である。
【０００８】査定依頼者は査定対象の印刷物の現品を、査定者へ送り届けるシステムである。
【０００９】ウェブサイトは、以下の（１）（２）のコンテンツを有する。
（１）本発明の印刷料金の査定方法および査定システムの案内とその使い方の説明。
（２）版権、複製権、著作権の正しい情報
【００１０】サーバのデータベースは、以下の（１）（２）のデータを格納する。
（１）印刷料金の積算に必要な刷版代、印刷代、紙代、製本加工代、梱包代、運賃などの      情報。
（２）印刷業者の各業者の提供するサービス又は商品の内容やその料金体系、得意とする      商品、印刷設備などの情報。
【００１１】サーバのデータベースは、査定者が構築し、最新の印刷料金に関する情報を随時更新する。
【００１２】査定依頼者の端末は、パソコンや携帯である。
【００１３】査定者の端末はパソコンである。
【実施例】図１に示す査定システムの実施例として、査定依頼者に係わる実施例と査定者に係わる実施例とを順に説明する。【００１４】まず、査定依頼者は、ウェブサイトで、本発明の印刷料金の査定方法および査定システムの案内と使用方法の理解からはじまる。【００１５】査定依頼者は、インターネットを介し、査定対象の印刷物の数量や査定依頼者の個人情報を査定者へ通知する。【００１６】査定依頼者は、査定対象の印刷物の現品を査定者に送り届ける。【００１７】査定者は、査定対象の印刷物を見て触り、印刷方法、紙、製本、加工などの仕様を正確に判定する。【００１８】査定者は、サーバのデータベースに格納された刷版代、印刷代、紙代、製本加工代、梱包代、運賃などの情報から査定対象の印刷料金の積算料金を算出する。【００１９】査定者は、サーバのデータベースに格納された印刷業者の各業者から印刷の仕様に最適な業者を数社選定し、見積を依頼し見積料金を得る。【００２０】査定者は、査定対象の印刷物の積算料金と業者の合い見積を査定する。【００２１】査定者は、適正かつ最新の印刷料金を査定依頼者にメールなどによって通知する。
【産業上の利用可能性】
【００２２】印刷業界は、印刷の工程のほとんどを単独で行う業者は少なく、ほとんどは工程の一部又は全部を外注する外注型産業である。そこで、本発明の印刷料金の査定方法および査定システムにより、正確な仕様の判定に基づき最適な外注先を選定し、適正かつ最新の印刷料金で利用者にサービスすることができ合理的である。
【図面の簡単な説明】
【図１】請求項１と請求項２に記載の印刷料金の査定方法および査定システムの概念図である。
【図１】
2011070620.tif 000003